(57)【要約】【課題】    本発明は取れたボタンを取り付けるのに生地を傷めずに簡単に素早く付けることを解決することである。ボタンを付けなければならない状況はボタンが単に取れた場合とボタンが破損したり、紛失した場合が想定でき、どちらも簡単にボタンを取り付けられることが要求される。【手段】    ボタンホルダー（Ａ）とボタン台座（Ｂ）又は（Ｃ）の二つの部品から構成されておりホルダー（Ａ）と台座（Ｂ）或いはホルダー（Ａ）と台座（Ｃ）とセットすることにより使用目的が達成できる。目的達成のために▲１▼ボタンを取り付ける生地を傷めずに、▲２▼簡単に、素早く、▲３▼他の裁縫道具類を使わずに、▲４▼取り外しが簡単にできることである。ボタン台座をセットしたホルダーを必要なボタン取付け位置にボタン台座が来るように挟み込めば目的を達成できる。【選択図】    図１
2005218804.tif 000002
【特許請求の範囲】
【請求項１】
仮ボタン台座とリード糸とを一体化した車輪軸（断面から見ると「エ」の形）をホルダーの上板面に取り付けし、一体化したホルダー式「仮ボタン台座ホルダー」及び同様に仮ボタン台座を代用ボタン台座に変えた「代用ボタン台座ホルダー」。
【請求項２】
第一構成部分であるホルダーの上下の差込口の長さを変え（上板を下板より短くする）、夫々先端部分を外側に湾曲させ、更に先端の挟み込み部分（上下の板面が合わさる部分）に上下交互の噛合せ溝を設けること。
【請求項３】
上述のホルダーの上板に挟み込み口間口に対し、中央より左右どちらかへ寄った切り込み溝をホルダーの折り曲げ部分に向かって縦に中央部まで入れ、更にその溝を幅の広い方へ斜めに折返し中心で止め、そのエンドを少し大きくすること。
【請求項４】
第二の構成部分のボタン車輪軸は粘性、弾性のある素材で一体化し、車輪軸の片側ににボタン台座又は代用ボタンをつけること。ボタン台座の突起の先端部分を少し大きくし、縦に割目を入れること。
【請求項５】
第一と第二構成部分を一体化すること。即ち第一構成部分の上板に第二構成部分が取り付けられることで本発明は機能を発揮する。
従って、第二構成部を第一構成部上板上面に接着する場合は第一構成部の上板上面の溝は不要である。
【発明の詳細な説明】
【発明の詳細な説明】
【技術分野】
【０００１】本発明は取れたボタンを簡単に仮付けし、急場の応急処置に役立つ「取り付け方と製造方法」を性質の違う素材の組み合わせと力学の応用組合せの技術により解決したワンタッチボタン取付けに関するものである。
【背景技術】
【０００２】ホルダー式で仮ボタンや代用ボタンを簡単に取付けられるものがない。
生地を鋲で刺して固定するＯＱボタン（スエーデン製ＰＡＴ６２−５０２．６７２）とは全く発想が違うものである。
【発明が解決しようとする課題】
【０００３】例えばＹシャツの袖口や襟のボタンがとれたとき、裁縫セット無しに簡単に仮ボタンや代用ボタンを取付けることが出来る。
（イ）ボタンが取れてその取れたボタンをワンタッチで仮付したいとき、または（ロ）ボタンを破損・紛失して代用ボタンを付けたいときに
（イ）ボタンを針と糸を使って縫い付ける、（ロ）ＯＱボタンのように生地に穴をあけ固定する方法は裁縫セットの常時持ち合わせと裁縫技術が必要であり、簡単には取付けられないし、片や生地を傷める恐れがある。
本発明は、これらの問題点を解決するためになされたものである。
【特許文献１】ＰＡＴ６２−５０２．６７２
【発明が解決しようとする課題】
【０００４】ボタンが取れたとき、ボタンがあっても裁縫セットと取り付け技術が必要である。
本発明は以上の問題をボタンホルダーを生地に挟み込むことで解決し、誰でも簡単にボタンが付けられるようにしたものである。
【課題を解決する手段】
【０００５】仮ボタン台座（Ｂ）、又は代用ボタン台座（Ｃ）をボタンホルダー（Ａ）に取り付ける。
ボタンホルダー（Ａ）は上板（１）と下板（２）は折曲げ部分（６）で連結され、（６）の部分はホルダーのバネとして機能させる。
上板（１）と下板（２）の生地挟み込み先端部分は上下とも噛合せの溝（スベリ止め）をを設ける。上下板の先端部分は夫々外側に湾曲させ、下板は上板より長くし生地を挟み込み易くする。
上板（１）に挟み込み間口に対し中央より左右どちらかへ数ミリ寄った溝（切り込み）をホルダーの折り曲げ部分に向かって縦に中心まで入れる。
更にその溝を中心より幅の広い方へ斜めに折返し中央で止める。終点を少し大きくする。折り返し溝を設けることによりホルダーがバネ方向に引張られたとき、はずれにくくする。
仮ボタン台座（Ｂ）はリード糸を一体化した車輪軸（断面からみると「エ」の形）でボタンホルダー（Ａ）にとりつける。「仮ボタン台座（Ｂ）」の片方車輪にボタン穴用の突起（７）を２〜４ケ付ける。
「代用ボタン台座（Ｃ）」は車輪軸と一体の素材で上述（Ｂ）ボタン穴用突起の代わりに代用ボタンを付ける。
本発明は、ホルダー（Ａ）とボタン台座（Ｂ）の合体によりワンタッチで仮ボタン及び代用ボタンを取り付けることができるボタンホルダーである。
【発明を実施するための最良の形態】
【０００６】  以下、本発明の実施の形態を説明する。
（イ）ホルダー（Ａ）は硬質樹脂、又は金属等を使用し、ホルダーの上板（１）と下板（２）は折曲げ部分（６）で連結され、（６）の部分はホルダーのバネとして機能させる。
（ロ）上板（１）と下板（２）の生地挟み込み先端部分は上下とも噛み合わせ溝（スベリ止め）を設け挟んだ生地をズレないように固定させる。
（ハ）上下板の先端部分は夫々外側に湾曲させ下板は上板より長くし生地を挟み込み易くする。
（ニ）上板（１）に挟み込み口間口に対し、中央より左右どちらかへ数ミリ寄った切り込み溝（３）をホルダーの折り曲げ部分（６）に向かって縦に中心まで入れ、生地を挟み込み易くする。
（ホ）更にその溝を中心より幅の広い方へ斜めに折返し中央で止め（４）、後尾エンド（５）を少し大きくする。折返し溝を設けることによりホルダーがバネ方向に引張られたとき、外れなくなる。
（ヘ）仮ボタン台座（Ｂ）は真中のリード糸に片側を仮ボタン台座、片側をスットッパーとした一体型の車輪軸（断面からみると「エ」の形）でボタンホルダー（Ａ）の上板溝後尾（５）に填め込む。
（ト）仮ボタン台座（Ａ）の上面にボタン穴用の突起（７）を付ける。
（チ）突起（７）の中央に縦に割目を設け先端部を多少大きくすることにより、バネ力が働きボタンがしっかりフィットする。
（リ）代用ボタン台座（Ｃ）は上述の仮ボタン台座と同様な構成であるがボタン穴の突起（７）の代わりにイミテイションボタン（８）を一体化したものである。
本発明は以上の構成よりなる。
本発明品を使用する場合、取り付けボタンが再使用できるときは「仮ボタン台座（Ａ）」を、ボタンが無いときは「代用ボタン台座（Ｂ）」をホルダー（Ａ）にセットし使用するものである。
【発明の効果】
【０００７】  本発明は容易に取れたボタンを仮修繕出来るので、常に身だしなみを整えて置く事に役立つものである。ボタンが破損したり紛失した場合でも安心して対応することができる。
特に気になる袖口や襟元のボタン付けには効果が発揮できる。
【図面の簡単な説明】
【０００８】
【図１】本発明の斜視図
【図２】本発明の要部拡大の正面図（ボタンホルダー）
【図３】本発明の要部拡大の正面図と断面図（「代ボタン台座」）
【図４】本発明の要部拡大正面図と断面図（「代用ボタン台座」）
【符号の説明】
【０００９】（Ａ）ボタンホルダー
１上板
２下板
３上板切り込み溝
４上板斜め折返し切り込み溝
５溝後尾（エンド）
６折り曲げ部分
（Ｂ）「仮ボタン台座」
７ボタン台座の突起
（Ｃ）「代用ボタン台座」
８ボタン台座のイミテイションボタン
【図１】
2005218804.tif 000003
【図２】
2005218804.tif 000004
【図３】
2005218804.tif 000005
【図４】
2005218804.tif 000006